(57)【要約】【課題】本体側筐体とディスプレイ側筐体とが重なり合って閉じた状態から速やかに処理を開始することができるノートＰＣを提供する。【解決手段】キーボードを有する本体側筐体２と、ディスプレイを有するディスプレイ側筐体３と、キーボードとディスプレイとが向かい合って接近離間するように、本体側筐体２に対してディスプレイ側筐体３を一側部回りに回動させるヒンジ部６と、ディスプレイの反対側の面とされた前記ディスプレイ側筐体３の背面３ｂでかつヒンジ部６とは反対側の領域３ｄに設けられたタッチセンサとしてのロゴ部１２と、タッチセンサからの信号を受け取った後に次処理を行う制御部とを備えている。【選択図】図３
2018005290.tif 000002
【特許請求の範囲】
【請求項１】
入力部を有する本体側筐体と、
ディスプレイを有するディスプレイ側筐体と、
前記入力部と前記ディスプレイとが向かい合って接近離間するように、前記本体側筐体に対して前記ディスプレイ側筐体を一側部回りに回動させるヒンジ部と、
前記ディスプレイの反対側の面とされた前記ディスプレイ側筐体の表面でかつ、前記ヒンジ部とは反対側の領域に設けられたタッチセンサと、
該タッチセンサからの信号を受け取った後に次処理を行う制御部と、
を備えている電子機器。
【請求項２】
前記タッチセンサは、前記ディスプレイ側筐体の前記表面に設けられた固定表示部とされている請求項１に記載の電子機器。
【請求項３】
前記固定表示部は、前記制御部によって制御されるＬＥＤを備えている請求項２に記載の電子機器。
【請求項４】
前記本体側筐体と前記ディスプレイ側筐体とが重なり合った閉状態から、前記本体側筐体と前記ディスプレイ側筐体とが離間する開状態に移ったことを検出する開動作検出センサを備え、
前記制御部は、前記タッチセンサによる検出信号を得た後の所定時間内に前記開動作検出センサからの検出信号が得られない場合には、前記次処理を中止する請求項１から３のいずれかに記載の電子機器。
【発明の詳細な説明】
【技術分野】
【０００１】
本発明は、ノート型パソコン等の電子機器に関するものである。
【背景技術】
【０００２】
クラムシェル型とされたノート型パソコンは、キーボード等が設けられた本体側筐体と、ディスプレイ等が設けられたディスプレイ側筐体とを備え、本体側筐体とディスプレイ側筐体とがヒンジ部を介して折り畳み可能となっている。
このようなノート型パソコンの起動用電源は、本体側筐体のキーボードが設けられた面に配置されているのが一般的である。
【先行技術文献】
【特許文献】
【０００３】
【特許文献１】特開２０１４−１３５０８号公報
【発明の概要】
【発明が解決しようとする課題】
【０００４】
しかし、キーボードが設けられた面に起動用電源が配置されていると、ノート型パソコンを閉じた状態から開けた後に、起動用電源を押す必要がある。これでは、パソコンを速やかに起動させて使用することができないという問題がある。
【０００５】
本発明は、このような事情に鑑みてなされたものであって、本体側筐体とディスプレイ側筐体とが重なり合った閉じた状態から速やかに処理を開始することができる電子機器を提供することを目的とする。
【課題を解決するための手段】
【０００６】
上記課題を解決するために、本発明の電子機器は以下の手段を採用する。
すなわち、本発明の一態様に係る電子機器は、入力部を有する本体側筐体と、ディスプレイを有するディスプレイ側筐体と、前記入力部と前記ディスプレイとが向かい合って接近離間するように、前記本体側筐体に対して前記ディスプレイ側筐体を一側部回りに回動させるヒンジ部と、前記ディスプレイの反対側の面とされた前記ディスプレイ側筐体の表面でかつ、前記ヒンジ部とは反対側の領域に設けられたタッチセンサと、該タッチセンサからの信号を受け取った後に次処理を行う制御部とを備えている。
【０００７】
また、本発明の他の態様に係る電子機器は、前記本体側筐体と前記ディスプレイ側筐体とが重なり合った閉状態から、前記本体側筐体と前記ディスプレイ側筐体とが離間する開状態に移ったことを検出する開動作検出センサを備え、前記制御部は、前記タッチセンサによる検出信号を得た後の所定時間内に前記開動作検出センサからの検出信号が得られない場合には、前記次処理を停止する。
【発明の効果】
【０００８】
本体側筐体とディスプレイ側筐体とが重なり合った閉じた状態であっても、ディスプレイ側筐体の表面に設けたタッチセンサによって使用開始のタイミングを得ることで、速やかに次処理を開始することができる。
【図面の簡単な説明】
【０００９】
【図１】本発明の一実施形態に係るノートＰＣを示した斜視図である。
【図２】図１のノートＰＣを閉じた状態を示した斜視図である。
【図３】図１のノートＰＣを背面側から見た斜視図である。
【図４】ロゴ部周りの積層構造を示した断面図である。
【図５】ロゴ部及びＬＥＤの周囲の内部構造を示した平面図である。
【図６】シャットダウンとされた閉状態から起動する処理を示したフローチャートである。
【図７】シャットダウンとされた開状態から起動する処理を示したフローチャートである。
【図８】スリープとされた閉状態から起動する処理を示したフローチャートである。
【図９】スリープとされた開状態から起動する処理を示したフローチャートである。
【発明を実施するための形態】
【００１０】
以下に、本発明にかかる実施形態について、図面を参照して説明する。
図１に示されているように、本実施形態に係るノート型パソコン（電子機器：以下、単に「ノートＰＣ」という。）１は、クラムシェル型とされた携帯型の情報処理装置である。ノートＰＣ１は、本体側筐体２と、ディスプレイ側筐体３とを備えている。
【００１１】
本体側筐体２は、板状体とされ、入力部５等を備えている。入力部５は、ユーザによる入力操作を行うためのユーザインターフェースであり、文字、コマンド等の入力を受け付ける各種キーより構成されるキーボードや、画面上のカーソルを移動させたり、各種メニューを選択するタッチパッド、マウス、又はトラックポイント等を備えている。なお、入力部５の構成はこれに限定されず、例えばタッチパネル式のディスプレイやオンスクリーンキーボード（On  Screen  Keyboard）であってもよい。また、本体側筐体２内には、ＣＰＵやメモリ等から構成された制御部を備えている。
【００１２】
ディスプレイ側筐体３は、本体側筐体２に対応する大きさを有する板状体とされている。ディスプレイ側筐体３は、画像を表示するディスプレイ７等を備えている。ディスプレイ７は、入力される表示データをビデオ信号に変換し、変換したビデオ信号に応じた各種情報を表示画面に表示する。なお、ディスプレイ７は、タッチパネルの機能を備えていても良い。
【００１３】
本体側筐体２とディスプレイ側筐体３との間には、これら筐体２，３同士を一側部回りに回動可能に接続するヒンジ部６が設けられている。ヒンジ部６によって、本体側筐体２に対してディスプレイ側筐体３が重なり合った閉状態（図２参照）と、本体側筐体２に対してディスプレイ側筐体３が離間した開状態（図１参照）とが実現されるようになっている。
【００１４】
本体側筐体２は、ヒンジ部６側の反対側に位置する開放端２ａ側に、磁気センサ（開動作検出センサ）９ａが設けられている。磁気センサ９ａは、例えばホールセンサとされている。磁気センサ９ａの出力は、本体側筐体２に設けられた制御部に送信される。ディスプレイ側筐体３は、ヒンジ部６側の反対側に位置する開放端３ａ側に、磁石９ｂが設けられている。磁気センサ９ａと磁石９ｂとは、閉状態としたときに互いに対向する位置に配置されている。これにより、筐体２，３間の開放端２ａ，３ａ側が接近離間する際の磁場の変化を検出することで、制御部がノートＰＣ１の開状態と閉状態を判断することができる。
【００１５】
図２及び図３に示すように、ディスプレイ側筐体３の背面３ｂ、すなわちディスプレイ７が配置された面とは反対側の表面には、ロゴ部１２が設けられている。ロゴ部１２が設けられる位置は、同図に示すように、ヒンジ部６側の反対側に位置する開放端３ａ側の角部でも良いが、図３に示すように開放端３ａ側の領域３ｄであれば良い。すなわち、ロゴ部１２が設けられる位置は、ノートＰＣ１の開閉動作を行うときにユーザの手が触れやすい位置であることが好ましい。
ロゴ部１２は、文字列だけでなく、図形や標章を用いて構成した固定表示部であれば良い。ここで、固定表示部とは、ロゴ等の表示をディスプレイ側筐体３の背面３ｂの所定の固定位置に設けた表示部を意味する。
【００１６】
ロゴ部１２は、アルミ箔等の金属とされた導電性材料で構成されている。図４に示されているように、ロゴ部１２は、良好な導電性を有しない誘電材料とされたＧＦＲＰ（Glass  Fiber  Reinforced  Plastics：ガラス繊維強化プラスチック）層１９上に形成されている。ＧＦＲＰ層１９は、良好な導電性を有するＣＦＲＰ（Carbon  Fiber  Reinforced  Plastics：炭素繊維強化プラスチック）層１８の側方に隣接して形成されている。ＧＦＲＰ層１９の下面には、静電容量式センサを構成するセンサコイル１５が設けられている。センサコイル１５の出力は、本体側筐体２に設けられた制御部に送信される。
以上のような層構成を有しているので、センサコイル１５は、ＧＦＲＰ層１９における静電容量の変化を検出することができる。これにより、ＧＦＲＰ層１９における静電容量の変化をセンサコイル１５で検出することで、制御部は、ユーザがロゴ部１２に触れたことを判断することができる。すなわち、ロゴ部１２とセンサコイル１５によってタッチセンサが構成されるようになっている。
【００１７】
図２及び図３に示すように、ロゴ部１２には、ＬＥＤ１０が設けられている。ＬＥＤ１０は、本体側筐体２に設けられた制御部によって点灯及び点滅が制御される。
図５には、ロゴ部１２及びＬＥＤ１０に対応する位置におけるディスプレイ側筐体３の内部構造が示されている。同図に示されているように、本体側筐体２から導かれた通信線１６ａ及び給電線１６ｂに対して基板１４が接続されている。基板１４は、例えば可撓性を有するフレキシブルプリント基板（ＦＰＣ：Flexible  Printed  Circuits）とされている。基板１４上には、センサコイル１５及びＬＥＤ１０が接続されている。このように、センサコイル１５とＬＥＤ１０の基板は共通化されている。
【００１８】
次に、ロゴ部１２及びセンサコイル１５によって形成されたタッチセンサの使用方法について説明する。
＜シャットダウン＆ノートＰＣ閉状態＞
先ず、図６を用いて、ノートＰＣ１がシャットダウン（Ｓ５）されており、かつノートＰＣ１が閉状態（図２参照）とされている状態（ステップＳ０１）から起動する場合について説明する。
シャットダウン状態においてユーザがディスプレイ側筐体３を開けようとするときに、ユーザの手がロゴ部１２に触れる（ステップＳ０２）。そうすると、センサコイル１５が静電容量の変化を検出する。この検出信号は、制御部に送信され、制御部はこの検出信号に基づいて、ＢＩＯＳ経由で磁気センサ９ａを起動する（ステップＳ０３）。
そして、制御部は、磁気センサ９ａが起動してから所定時間内（例えば２秒以内）に、磁気センサ９ａによって開状態を検知したか否かを判断する（ステップＳ０４）。所定時間内に開状態が検知された場合には、制御部は、ブート（boot）を開始して（ステップＳ０５）、ブートを継続する（ステップＳ０６）。一方、所定時間内に開状態が検知されなかった場合には、制御部は、タッチセンサの誤動作と判定し、最初のステップＳ０１に戻る。
【００１９】
＜シャットダウン＆ノートＰＣ開状態＞
次に、図７を用いて、ノートＰＣ１がシャットダウン（Ｓ５）されており、かつノートＰＣ１が開状態（図１参照）とされている状態（ステップＳ１１）から起動する場合について説明する。
シャットダウン状態でかつディスプレイ側筐体３が開状態とされた状態で、ユーザの手がロゴ部１２に触れる（ステップＳ１２）。そうすると、センサコイル１５が静電容量の変化を検出する。この検出信号は、制御部に送信され、制御部はこの検出信号に基づいて、ＢＩＯＳ経由で磁気センサ９ａを起動する（ステップＳ１３）。
そして、制御部は、磁気センサ９ａが起動してから所定時間内（例えば２秒以内）に、磁気センサ９ａによって開状態を検知したか否かを判断する（ステップＳ１４）。この場合、ディスプレイ側筐体３は既に開状態とされているので、所定時間内に開状態が検知される。そして、制御部は、ブート（boot）を開始して（ステップＳ１５）、ブートを継続する（ステップＳ１６）。
【００２０】
＜スリープ＆ノートＰＣ閉状態＞
次に、図８を用いて、ノートＰＣ１がスリープ状態（Ｓ３）とされており、かつノートＰＣ１が閉状態（図２参照）とされている状態（ステップＳ２１）から起動する場合について説明する。スリープ状態（Ｓ３）では、メモリ等の必要最小限の構成に対してのみ給電する省電力モードとされており、磁気センサ９ａも起動されている。
スリープ状態においてユーザがディスプレイ側筐体３を開けようとするときに、ユーザの手がロゴ部１２に触れる（ステップＳ２２）。そうすると、センサコイル１５が静電容量の変化を検出する。
そして、制御部は、センサコイル１５による検出から所定時間内（例えば２秒以内）に、磁気センサ９ａによって開状態を検知したか否かを判断する（ステップＳ２４）。所定時間内に開状態が検知された場合には、制御部は、レジューム（resume）を開始して（ステップＳ２５）、ブートを継続する（ステップＳ２６）。一方、所定時間内に開状態が検知されなかった場合には、制御部は、タッチセンサの誤動作と判定し、最初のステップＳ２１に戻る。
【００２１】
＜スリープ＆ノートＰＣ開状態＞
次に、図９を用いて、ノートＰＣ１がスリープ状態（Ｓ３）とされており、かつノートＰＣ１が開状態（図１参照）とされている状態（ステップＳ３１）から起動する場合について説明する。スリープ状態（Ｓ３）では、メモリ等の必要最小限の構成に対してのみ給電する省電力モードとされており、磁気センサ９ａも起動されている。
スリープ状態でかつディスプレイ側筐体３が開状態とされた状態で、ユーザの手がロゴ部１２に触れる（ステップＳ３２）。そうすると、センサコイル１５が静電容量の変化を検出する。
そして、制御部は、センサコイル１５による検出から所定時間内（例えば２秒以内）に、磁気センサ９ａによって開状態を検知したか否かを判断する（ステップＳ３４）。この場合、ディスプレイ側筐体３は既に開状態とされているので、所定時間内に開状態が検知される。そして、制御部は、レジューム（resume）を開始して（ステップＳ３５）、ブートを継続する（ステップＳ３６）。
【００２２】
以上の通り、本実施形態によれば、以下の作用効果を奏する。
ノートＰＣ１の閉状態から開状態とする際に、ディスプレイ側筐体３の背面３ｂでかつヒンジ部６とは反対側の領域３ｄにユーザの手が触れる。この領域３ｄにタッチセンサの機能を有するロゴ部１２を設けることで、制御部は、ユーザがノートＰＣ１の使用を開始するタイミングを得ることができる。これにより、制御部では、センサコイル１５からの信号をブートやレジュームのためのトリガとして用いることができ、ノートＰＣ１の起動を迅速に行わせることができる。
【００２３】
ロゴ部１２をタッチセンサとしても利用することで、タッチセンサをロゴ部１２とは別の場所に新たに設ける必要がない。したがって、ディスプレイ側筐体３の背面３ｂの外観を大きく変更することなくタッチセンサを追加することができる。
【００２４】
ロゴ部１２にＬＥＤ１０を設けることとしたので、ＬＥＤ１０に接続された通信線１６ａや給電線１６ｂをタッチセンサに利用することができる。また、ロゴ部１２とＬＥＤ１０との基板１４を共用化できる。以上により、タッチセンサの追加が容易となる。
【００２５】
センサコイル１５による検出信号を得た後の所定時間内に磁気センサ９ａからの検出信号が得られない場合には、タッチセンサの誤動作と判断してブートやレジュームを行なわずに中止することとした（図６及び図８参照）。これにより、ユーザが意図しない無駄な処理が行われることを回避することができる。
【００２６】
なお、上述した実施形態では、タッチセンサによって検出した後の処理としてブートやレジュームを例として説明したが、本発明はこれに限定されるものはない。例えば、タッチセンサ（センサコイル１５）から信号を受け取った後に制御部が行う次処理としては、無線ＬＡＮのオンオフ動作処理、ヒンジ部６の回動トルク調整部の制御処理（タッチセンサ検出後にトルクを小さくする）、特定のアプリケーションの起動処理等が挙げられる。
また、制御部は、タッチセンサ（センサコイル１５）が検出信号を出力した際にはＬＥＤ１０の点滅状態を変更したり、ＬＥＤ１０が多色式とされている場合にはノートＰＣ１のモード毎に色を切り替える処理を行うようにしたりしても良い。
【符号の説明】
【００２７】
１  ノートＰＣ（電子機器）
２  本体側筐体
２ａ  開放端
３  ディスプレイ側筐体
３ａ  開放端
３ｂ  背面
３ｄ  タッチセンサが設けられる領域
５  入力部
６  ヒンジ部
７  ディスプレイ
９ａ  磁気センサ（開動作検出センサ）
９ｂ  磁石
１０  ＬＥＤ
１２  ロゴ部
１４  基板
１５  センサコイル
１６ａ  通信線
１６ｂ  給電線
１８  ＣＦＲＰ層
１９  ＧＦＲＰ層
【図１】
2018005290.tif 000003
【図２】
2018005290.tif 000004
【図３】
2018005290.tif 000005
【図４】
2018005290.tif 000006
【図５】
2018005290.tif 000007
【図６】
2018005290.tif 000008
【図７】
2018005290.tif 000009
【図８】
2018005290.tif 000010
【図９】
2018005290.tif 000011
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
入力部を有する本体側筐体と、
ディスプレイを有するディスプレイ側筐体と、
前記入力部と前記ディスプレイとが向かい合って接近離間するように、前記本体側筐体に対して前記ディスプレイ側筐体を一側部回りに回動させるヒンジ部と、
前記ディスプレイの反対側の面とされた前記ディスプレイ側筐体の表面でかつ、前記ヒンジ部とは反対側の領域に設けられたタッチセンサと、
該タッチセンサからの信号を受け取った後に次処理を行う制御部と、
を備え、
前記タッチセンサは、前記ディスプレイ側筐体の前記表面に設けられるとともに、文字列、図形や標章を用いて構成された固定表示部とされている電子機器。
【請求項２】
前記固定表示部は、前記制御部によって制御されるＬＥＤを備えている請求項１に記載の電子機器。
【請求項３】
入力部を有する本体側筐体と、
ディスプレイを有するディスプレイ側筐体と、
前記入力部と前記ディスプレイとが向かい合って接近離間するように、前記本体側筐体に対して前記ディスプレイ側筐体を一側部回りに回動させるヒンジ部と、
前記ディスプレイの反対側の面とされた前記ディスプレイ側筐体の表面でかつ、前記ヒンジ部とは反対側の領域に設けられたタッチセンサと、
該タッチセンサからの信号を受け取った後に次処理を行う制御部と、
を備え、
前記本体側筐体と前記ディスプレイ側筐体とが重なり合った閉状態から、前記本体側筐体と前記ディスプレイ側筐体とが離間する開状態に移ったことを検出する開動作検出センサを備え、
前記制御部は、前記タッチセンサによる検出信号を得た後の所定時間内に前記開動作検出センサからの検出信号が得られない場合には、前記次処理を中止する電子機器。
【請求項４】
前記タッチセンサは、前記ディスプレイ側筐体の前記表面に設けられるとともに、文字列、図形や標章を用いて構成された固定表示部とされている請求項３に記載の電子機器。
【請求項５】
前記固定表示部は、前記制御部によって制御されるＬＥＤを備えている請求項３又は４に記載の電子機器。
【手続補正２】
【補正対象書類名】明細書
【補正対象項目名】０００６
【補正方法】変更
【補正の内容】
【０００６】
上記課題を解決するために、本発明の電子機器は以下の手段を採用する。
すなわち、本発明の一態様に係る電子機器は、入力部を有する本体側筐体と、ディスプレイを有するディスプレイ側筐体と、前記入力部と前記ディスプレイとが向かい合って接近離間するように、前記本体側筐体に対して前記ディスプレイ側筐体を一側部回りに回動させるヒンジ部と、前記ディスプレイの反対側の面とされた前記ディスプレイ側筐体の表面でかつ、前記ヒンジ部とは反対側の領域に設けられたタッチセンサと、該タッチセンサからの信号を受け取った後に次処理を行う制御部とを備え、前記タッチセンサは、前記ディスプレイ側筐体の前記表面に設けられるとともに、文字列、図形や標章を用いて構成された固定表示部とされている。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
入力部を有する本体側筐体と、
ディスプレイを有するディスプレイ側筐体と、
前記入力部と前記ディスプレイとが向かい合って接近離間するように、前記本体側筐体に対して前記ディスプレイ側筐体を一側部回りに回動させるヒンジ部と、
前記ディスプレイの反対側の面とされた前記ディスプレイ側筐体の表面でかつ、前記ヒンジ部とは反対側の領域に設けられたタッチセンサと、
該タッチセンサからの信号を受け取った後に次処理を行う制御部と、
を備え、
前記タッチセンサは、前記ディスプレイ側筐体の前記表面に設けられるとともに、文字列、図形や標章を用いて構成された固定表示部とされている電子機器。
【請求項２】
前記固定表示部は、前記制御部によって制御されるＬＥＤを備えている請求項１に記載の電子機器。
【請求項３】
入力部を有する本体側筐体と、
ディスプレイを有するディスプレイ側筐体と、
前記入力部と前記ディスプレイとが向かい合って接近離間するように、前記本体側筐体に対して前記ディスプレイ側筐体を一側部回りに回動させるヒンジ部と、
前記ディスプレイの反対側の面とされた前記ディスプレイ側筐体の表面でかつ、前記ヒンジ部とは反対側の領域に設けられたタッチセンサと、
該タッチセンサからの信号を受け取った後に次処理を行う制御部と、
を備え、
前記本体側筐体と前記ディスプレイ側筐体とが重なり合った閉状態から、前記本体側筐体と前記ディスプレイ側筐体とが離間する開状態に移ったことを検出する開動作検出センサを備え、
前記制御部は、前記タッチセンサによる検出信号を得た後の所定時間内に前記開動作検出センサからの検出信号が得られない場合には、前記次処理を中止する電子機器。
【請求項４】
前記タッチセンサは、前記ディスプレイ側筐体の前記表面に設けられるとともに、文字列、図形や標章を用いて構成された固定表示部とされている請求項３に記載の電子機器。
【請求項５】
前記固定表示部は、前記制御部によって制御されるＬＥＤを備えている請求項４に記載の電子機器。